(57)【要約】【課題】板紙等シート状部材で形成され、扁平に折り畳まれた状態で保管、移送が行え、組み立てならびに分解が容易に行える紙函において、側板の二つの凸状曲線で形成される外縁に沿って覆うことの出来る覆板を設けることで、ハート型など外観意匠性に優れた組立式紙函を提供する。【解決手段】略矩形の斜面板の一方の長辺に折線を介して第１曲面覆板、係止板、貼合係止板、第２曲面覆板が連設され、前記第１曲面覆板の斜面板側の両側短辺に折線を介してそれぞれ重合片、二つの凸状部を持つ外縁を有する側板が連設され、前記斜面板と前記重合片ならびに側板との隅角部はそれぞれ折込連結板で連結され、かつ前記係止板および貼合係止板の両側端よりやや内側にそれぞれ係止溝が穿設され、前記側板の二つの凸状部とした外縁上端中央部に片側を鉤状突起とした差込溝が穿設された組立式紙函。【選択図】        図５
2004314996.tif 000002
【特許請求の範囲】
【請求項１】
略矩形の斜面板の一方の長辺に折線を介して第１曲面覆板、係止板、貼合係止板、第２曲面覆板が連設され、該第２曲面覆板の先端に掛止用の舌片が突設されるとともに、前記斜面板の一方の長辺に前記掛止突起を差込掛止する切込が穿設され、前記第１曲面覆板の斜面板側の両側短辺に折線を介してそれぞれ重合片、二つの凸状部を持つ外縁を有する側板が連設され、前記斜面板と前記重合片ならびに側板との隅角部はそれぞれ折込連結板で連結され、かつ前記係止板および貼合係止板の両側端よりやや内側にそれぞれ係止溝が穿設され、前記側板の二つの凸状部とした外縁上端中央部に片側を鉤状突起とした差込溝が穿設されたブランク板からなり、前記重合板および前記側板ならびに前記折込連結板が折り曲げられ、前記重合板と前記折込連結板の斜面板近傍部分とを貼着部とし、それぞれ前記斜面板と前記第１曲面覆板に貼着され、前記係止板および前記貼着係止板は谷折されて貼着接合されるとともに、立ち起こされる前記側板の二つの凸状部とした外縁上端中央部に穿設された差込溝に差し込まれ、前記差込溝の鉤状突起に前記係止溝で係止されることを特徴とする組立式紙函。
【請求項２】
前記側板が外縁上端中央部に凹部を有する略ハート型形状であることを特徴とする請求項１記載の組立式紙函。
【発明の詳細な説明】
【０００１】
【発明の属する技術分野】
本発明は、板紙等シート状部材で形成される商品の流通及び展示用紙函に関し、紙函本体の外観意匠性に優れ、特に胴部断面形状をハート型形状等としてディスプレイ効果を高めた組立式紙函に関するものである。
【０００２】
【従来の技術】
従来、菓子や食品等の詰め合わせやギフト商品に使用される多角形状の容器は、金属缶やプラスチック成形品による容器が多く用いられ、紙製のものとしては一般に貼函と呼ばれる厚紙で形成された容器芯型部に表装したものが用いられている。しかしながら、金属缶やプラスチック成形品および貼函は、移送ならびに輸送に関して嵩高いため、保管ならびに輸送コストが高いばかりでなく、金属缶やプラスチック成形品は廃棄に関しても問題があった。
【０００３】
板紙等を用いて形成される一般に折り畳み紙函と呼ばれるものでも、多角形状の容器が提案されているが、複雑な形状を形成することは難しく、例えば従来技術として、板紙等シート状部材で形成される矩形底板の短縁に折重ね板を介して外縁凸状の側板が連設してあると共に、前記底板の一側長縁に覆板が連設され、覆板の先端には挿入掛止用の舌片が設けてあり、前記底板の他側長縁に側板が連設され、前記側板の連設部に前記舌片を挿入掛止する為の挿入孔が設けてあり、前記底板の四隅には前記底板の短縁および長縁連設した側板および覆板を連結する連結板が連設されてなる組立箱用原板が開示され、側板の外縁を凸弧状或いは凸状多角形とすることにより、外縁に沿って覆われる覆板は彎曲面或いは多角形折曲面を呈する組立箱となる（例えば特許文献１参照）。この種の紙函の特徴は、扁平に折り畳まれた状態で保管、移送が行え、組み立てならびに分解が容易に行えるトレー状紙函で、しかも形状を蒲鉾型或いは多角柱状にできる等ディスプレイ性に優れるとともに、大きな開口部を有することで、被収容物の収容や取り出しが容易である。しかしながら、側板の外縁形状が二つの凸状部からなり、その両凸状部間が凹部となる場合或いは両凸状部間が直線で結ばれる場合には、覆板が中央部分で浮き上がり、側板外縁に沿った状態で覆われないという欠点があった。
【０００４】
【特許文献１】
実開昭５８−１８０１０６号公報
【０００５】
【発明が解決しようとする課題】
そこで、本発明は、上記問題を解決するためになしたものであって、その目的とするところは、板紙等シート状部材で形成され、扁平に折り畳まれた状態で保管、移送が行え、組み立てならびに分解が容易に行える紙函において、側板の二つの凸状曲線で形成される外縁に沿って覆うことの出来る覆板を設けることで、ハート型など外観意匠性に優れた組立式紙函を提供しようとするものである。
【０００６】
【課題を解決するための手段】
上述した課題解決のために、請求項１の発明は、略矩形の斜面板の一方の長辺に折線を介して第１曲面覆板、係止板、貼合係止板、第２曲面覆板が連設され、該第２曲面覆板の先端に掛止用の舌片が突設されるとともに、前記斜面板の一方の長辺に前記掛止突起を差込掛止する切込が穿設され、前記第１曲面覆板の斜面板側の両側短辺に折線を介してそれぞれ重合片、二つの凸状部を持つ外縁を有する側板が連設され、前記斜面板と前記重合片ならびに側板との隅角部はそれぞれ折込連結板で連結され、かつ前記係止板および貼合係止板の両側端よりやや内側にそれぞれ係止溝が穿設され、前記側板の二つの凸状部とした外縁上端中央部に片側を鉤状突起とした差込溝が穿設されたブランク板からなり、前記重合板および前記側板ならびに前記折込連結板が折り曲げられ、前記重合板と前記折込連結板の斜面板近傍部分とを貼着部とし、それぞれ前記斜面板と前記第１曲面覆板に貼着され、前記係止板および前記貼着係止板は谷折されて貼着接合されるとともに、立ち起こされる前記側板の二つの凸状部とした外縁上端中央部に穿設された差込溝に差し込まれ、前記差込溝の鉤状突起に前記係止溝で係止されることを特徴とする組立式紙函であって、前記第１曲面覆板と前記第２曲面覆板との間に、前記係止板および前記貼着係止板が谷折されて貼着接合され、前記側板の二つの凸状部とした外縁上端中央部に穿設された差込溝に差し込まれ、前記差込溝の鉤状突起に前記係止溝で係止されることで、前記側板の二つの凸状部で形成される外縁に沿って覆う覆板を備えた外観意匠性に優れた組立式紙函を得ることが出来る。
【０００７】
請求項２の発明は、前記側板が外縁上端中央部に凹部を有する略ハート型形状であることを特徴とする請求項１記載の組立式紙函であって、側板が略ハート型形状の場合、外縁上端中央部は凹部となり、覆板は紙の反発により函の外側に膨らもうとするが、前記の如く前記第１曲面覆板と前記第２曲面覆板との間に、前記係止板および前記貼着係止板が谷折されて貼着接合され、前記側板の二つの凸状曲線部とした外縁上端中央部に穿設された差込溝に差し込まれ、前記差込溝の鉤状突起に前記係止溝で係止されることで、前記覆板は前記側板の二つの凸状曲線で形成される外縁に沿って覆われるとともに、前記側板の外縁上端中央部に押し下げられた状態で係止することが出来、略ハート型の外観意匠性に優れた組立式紙函とすることが出来る。
【０００８】
【発明の実施の形態】
以下本発明を、図面を参照しながら詳述する。図１は本発明の組立式紙函に係る実施例の展開平面図。図２は同じく実施例の組立途中状態を示す斜視図。図３は本発明の組立式紙函に係る他の実施例の展開平面図。図４は同じく他の実施例の組立途中状態を示す斜視図。図５は組立完了状態を示す斜視図。図６は組立完了状態にゴム紐を取付けた販売状態を示す斜視図である。
【０００９】
図１は本発明の組立式紙函に係る実施例の展開平面図で、略矩形の斜面板１の一方の長辺側に折線Ｌ１、Ｌ２、Ｌ３、Ｌ４を介して前記斜面板１に隣接し略同寸法の第１曲面覆板２、係止板３、貼着係止板４、および外端近傍を前記斜面板１に第２曲面覆板５を連設し、該第２曲面覆板５の外端中央部に折線Ｌ５を介して掛止用の舌片６を設けるとともに、前記斜面板１の一方の長辺の折線Ｌ１の中央部には前記舌片６が差込掛止される切込７が穿設され、さらに前記第１曲面覆板２の斜面部両側にはそれぞれ折線Ｌ７、Ｌ８を介して重合片８、８および二つの凸状曲線部を持つ外縁を有する側板９、９が連設され、前記斜面板１と前記重合片８，８ならびに側板９、９との隅角部はそれぞれ折線Ｌ６、Ｌ６および折線Ｌ９、Ｌ９を介して折込連結板１０、１０で連結されるとともに、該折込連結板１０、１０は前記折線Ｌ８、Ｌ８と前記折線Ｌ９、Ｌ９との交点Ｐから４５度の角度で設けられた折線Ｌ１０、Ｌ１０で区画されている。また前記係止板３および貼着係止板４の両側端よりやや内側にはそれぞれ係止溝１３、１３、１３、１３が穿設されるとともに、前記側板９、９の二つの凸状曲線部とした外縁上端中央部には片側を鉤状突起１２、１２とした差込溝１１、１１が穿設されている。尚、直線上に連続する折線Ｌ９、Ｌ１、Ｌ９にそれぞれ直交する同じく直線上に連続するＬ７、Ｌ８の交点には紐掛孔１４、１４が穿設され、前記折線Ｌ１の中央部に穿設された切込７の略中央には前記第１曲面覆板２方向に半円の指掛孔１５が穿設されている。
【００１０】
図２は本発明の実施例の組立途中状態を示す斜視図で、本発明に係る組立式紙函の製造にあたっては、板紙等シート状部材が打抜かれた、図１に示す展開平面のブランクを、予めそれぞれ折線Ｌ６、Ｌ７を用いて重合板８、側板９および連結板１０が折畳まれると共に、前記重合板８および前記連結板１０の斜面板近傍を貼着部として斜面板１および第１曲面覆板２にそれぞれ糊着し、かつ折線Ｌ３を用いて貼着係止板４、第２曲面覆板５および舌片６が折畳まれると共に、前記貼着係止板４の係止溝１３、１３間を貼着部として係止板３に糊着して、扁平な折畳み貼り合せ状態となる。
組立にあたっては、前記斜面板１を立ち起こすと同時に、前記側板９、９がそれぞれ前記第１曲面覆板２の斜面部に対し立ち起こされ、次に該第１曲面覆板２を前記側板９、９の凸状曲線部とした外縁に沿わせながら、前記貼着された係止板３および貼着係止板４を前記側板９、９に穿設された差込溝１１、１１に挿入すると共に、前記係止溝１３、１３に鉤状突起１２、１２を挿入係止し、天方向の開放部分より被収容物を収納した後、前記第２曲面覆板５を前記側板１の凸状曲線部とした外縁に沿わせながら外端近傍を前記斜面板１に重合させつつ、前記舌片６を切込７に差込掛止して閉鎖し、組立を完了する。
【００１１】
図３は本発明の組立式紙函に係る他の実施例の展開平面図で、前述の実施例と構成をほぼ同じくするが、斜面板１には短辺幅に対し略半分の幅で折線Ｌ１に平行な折線Ｌ１１を設けると共にその両端からそれぞれ斜面板１の外隅部に達する切線が穿設され、前記折線Ｌ１１からは内折板１６、内面板１７が折線Ｌ１２を介して順設され、さらに内面板１７の両側端にはそれぞれ折線Ｌ１３、Ｌ１３を介して立片１８、１８が延設されている。
【００１２】
図４は同じく他の実施例の組立途中状態を示す斜視図で、折り畳み貼り合せ状態は前述の実施例とほぼ同様であるので省略するが、組立にあたっては、前記斜面板１を立ち起こすと同時に、前記側板９、９がそれぞれ前記第１曲面覆板２の斜面部に対し立ち起こされ、次に前記内折板１６を紙函内側に折り込み前記斜面板１に重合させると共に、前記内面板１７を前記第１曲面覆板２の斜面部に重合させ、かつ前記立片１８、１８を前記側板９、９にそれぞれ重合させる。これにより、前記側板９、９が内側に倒れこむことが抑止され、被収容物の収納がし易くなる。以降の組立操作に関しては、前述の実施例とほぼ同様であるので省略する。尚、舌片６を切込７に差込掛止して閉鎖する際、前記内折板１６および内面板１７が内側に折り込まれているため、前記舌片６は前記内面板１７と第１曲面覆板２の斜面部との間に挿入され直接被収容物に当たることが無いので、被収容物を毀損したり或いは舌片６を損傷することが無い。
【００１３】
図５は本発明の組立式紙函に係る実施例の組立完了状態を示す斜視図で、前述のように組み立てられた紙函を、第１曲面覆板２の斜面部を底にして載置した状態を表している。両側端近傍のハート型側板に沿って、巻き回し係止された曲面覆板により、断面ハート型の筒状紙函が形成される。ハート型容器は金属缶、プラスチック成形品容器および貼函等の容器が多く、例えばチョコレート用容器としてバレンタインデー商品の包装に利用されており、本発明の組立式紙函も菓子容器としての利用が考えられる他、載置方向によっては桃などの果物形状にも見える為、果物関連の食品や菓子等の商品用容器としての利用も考えられ、紙函の意匠効果による商品訴求を図ることができる。
【００１４】
図６は同じく実施例の組立完了状態の紙函にゴム紐を取付けた状態を示す斜視図で、予め紙函長手方向を周回する長さに結ばれたゴム紐Ｑを、直線上に連続する折線Ｌ９、Ｌ１、Ｌ９にそれぞれ直交する同じく直線上に連続するＬ７、Ｌ８の交点に穿設された紐掛孔１４、１４と、係止板３と貼着係止板４との両端部すなわち係止溝１３、１３の外側の非糊着部分とを経由して巻き回すことにより、側板９、９の凸状曲線部とした外縁への密着度をより確実なものとすると共に、販売形態を美麗なものとする。ゴム紐等装飾材は、金糸、銀糸その他で被覆されたゴム紐やリボン等、販売する商品の特性により適宜選択できる。尚、この取付けにより前記側板９、９と係止板３および貼着係止板４との係止状態が安定する為、ゴム紐等装飾材を取付けた状態で、第２曲面覆板５のみでも開閉が可能となり、紙函の継続使用が容易である。
【００１５】
【発明の効果】
本発明の組立式紙函は、側板の外縁形状が二つの凸状部からなり、その両凸状部間が凹部となる場合或いは両凸状部間が直線で結ばれる場合にも、覆板中央部分が折り込まれた係止板構造であるとともに側板外縁中央部に差込溝を設けることにより、覆板が側板外縁に沿った状態で覆われかつ浮き上がることが防止でき、断面多角形状やハート型形状など多様な筒状紙函が形成できる。しかも板紙等を打抜き形成され、扁平に折り畳まれた状態で保管、移送が行え、組み立てならびに分解を容易に行うことができるため、保管や輸送コストが金属缶やプラスチック成形品および貼函にとともに、廃棄に関しての問題も発生しない。
【００１６】
また本発明の組立式紙函は、実施例に示すように、両側端近傍のハート型側板に沿って巻き回し係止された曲面覆板により、断面ハート型等の筒状紙函を得ることができ、その意匠効果による商品訴求を図ることができる。例えば菓子用容器としてバレンタインデー商品の包装に用いることや、載置方向によっては果物形状にも見える為、果物関連の食品や菓子等の商品用容器としても利用できる。
【図面の簡単な説明】
【図１】本発明の組立式紙函に係る実施例の展開平面図。
【図２】同じく実施例の組立途中状態を示す斜視図。
【図３】本発明の組立式紙函に係る他の実施例の展開平面図。
【図４】同じく他の実施例の組立途中状態を示す斜視図。
【図５】本発明の組立式紙函の組立完了状態を示す斜視図。
【図６】同じく組立完了状態にゴム紐を取付けた販売状態を示す斜視図。
【符号の説明】
１              斜面板
２              第１曲面覆板
３              係止板
４              貼合係止板
５              第２曲面覆板
６              舌片
７              切込
８              重合片
９              側板
１０            折込連結板
１１            差込溝
１２            鉤状突起
１３            係止溝
１４            紐掛孔
１５            指掛孔
１６            内折板
１７            内面板
１８            立片
Ｐ              折線の交点
Ｑ              ゴム紐
【図１】
2004314996.tif 000003
【図２】
2004314996.tif 000004
【図３】
2004314996.tif 000005
【図４】
2004314996.tif 000006
【図５】
2004314996.tif 000007
【図６】
2004314996.tif 000008